(57)【要約】【課題】透光性と断熱性が安定して維持される透光性断熱材を提供すること。【解決手段】対向する透光性板材１、１の間の空間が、透光性フィルム２により小分けされ、この小分けされた小空間に、透光性小口径パイプ３が収納されている。【選択図】        図１
2005022901.tif 000002
【特許請求の範囲】
【請求項１】
対向する透光性板材の間の空間が、透光性フィルムにより小分けされ、この小分けされた小空間に、透光性小口径パイプ、透光性小球体、透光性ハニカム構造体から選ばれた透光性物体が収納されていることを特徴とする透光性断熱材。
【請求項２】
透光性フィルムが着色されたものであることを特徴とする請求項１記載の透光性断熱材。
【請求項３】
透光性小口径パイプ、透光性小球体、透光性ハニカム構造体から選ばれた一以上の物体が着色されたものであることを特徴とする請求項１又は２記載の透光性断熱材。
【請求項４】
対向する透光性板材の間の空間に、熱や通電により形状又は体積が変わる物体が収納されていることを特徴とする透光性断熱材。
【発明の詳細な説明】
【０００１】
【発明の属する技術分野】
この発明は、透光性断熱材に関する。
【０００２】
【従来の技術】
従来、建物の透光部の断熱性等を向上させるものとして、２枚のガラス板の間に透光性断熱材としてシリカ微粒子からなるエアロゲルを充填した複層ガラスが提案されている。（特許文献１参照）。
【０００３】
【特許文献１】
特開平１１−７１１４１号公報（特許請求の範囲他）
【０００４】
また、多数の小径且つ透光性のガラス管を積層してなるガラス管集合体が、透光性断熱材として、２枚のガラス板の間にその全幅及び全高にわたって挿入し、ガラス管の中空部はガラス板の構面と直交する方向に配向されるようにした複層ガラスが提案されている。（特許文献２参照）。
【０００５】
【特許文献２】
特開２００１−２２６１５１号公報（特許請求の範囲他）
【０００６】
さらに、２枚以上の透明板材をスペーサにより各別に隔置して相互間に確保される空間にルーバー設置した複層パネルが提案されている。（特許文献３参照）。
【０００７】
【特許文献３】
特開２０００−１５４６８７号公報（特許請求の範囲他）
【０００８】
【発明が解決しようとする課題】
特許文献１に記載の積層ガラスは、可視光波長よりも粒径が小さいシリカ微粒子により透光性を制御しようとするものであり、このような特殊な構造の複層ガラスは、製造ガラスが増大し、しかも、断熱性と透光性の双方が所望通りのものとすることは、非常に困難である。
【０００９】
また、特許文献２に記載の積層ガラスは、２枚のガラス板の間にガラス管集合体を挿入しているだけであるので、ガラス管の中空部がガラス板の構面と直交する方向に配向度合いが変動して所望通りの透光性と断熱性が得られないことがある。
【００１０】
また、特許文献３に記載の複層パネルは、ルーバーの羽板片は所定の角度で一定しているので、各々の建物の立地条件の対応したものとなっておらず、また、季節や日々の朝、昼、晩の変化に対応するように、採光性や遮光性を制御することができない。
【００１１】
この発明は、上記の問題点を解消し、透光性と断熱性が安定して維持される透光性断熱材を提供することを目的とするものであり、また、季節や日々の朝、昼、晩の変化に対応するように、採光性や遮光性を制御することできる透光性断熱材を提供することを目的とする。
【００１２】
【課題を解決するための手段】
請求項１記載の発明の透光性断熱材は、対向する透光性板材の間の空間が、透光性フィルムにより小分けされ、この小分けされた小空間に、透光性小口径パイプ、透光性小球体、透光性ハニカム構造体から選ばれた透光性物体が収納されていることを特徴とする。
【００１３】
請求項１記載の発明において、小分けされた複数の小空間に収納される透光性物体は、透光性小口径パイプ、透光性小球体、透光性ハニカム構造体から選ばれた同一の透光性物体であってもよいし、異なるものであってもよい。
【００１４】
請求項２記載の発明の透光性断熱材は、請求項１記載の透光性断熱材において、透光性フィルムが着色されたものであることを特徴とする。
【００１５】
請求項３記載の発明の透光性断熱材は、請求項１又は２記載の透光性断熱材において、透光性小口径パイプ、透光性小球体、透光性ハニカム構造体から選ばれた一以上の物体が着色されたものであることを特徴とする。
【００１６】
請求項４記載の発明の透光性断熱材は、対向する透光性板材の間の空間に、熱や通電により形状又は体積が変わる物体が収納されていることを特徴とする。
【００１７】
（作用）
請求項１記載の発明の透光性断熱材にあっては、対向する透光性板材の間の空間が、透光性フィルムにより小分けされ、この小分けされた小空間に、透光性小口径パイプ、透光性小球体、透光性ハニカム構造体から選ばれた一以上の物体が収納されているので、収納される物体の移動や変位が少なく、透光性断熱材の透光性と断熱性が安定して維持される。
【００１８】
また、小分けされた小空間の全てに一種類の透光性物体を収納するだけでなく、小空間毎に、透光性小口径パイプ、透光性小球体、透光性ハニカム構造体のいずれかを選択して収納することにより、透光性と断熱性とを種々の性能のものとした透光性断熱材を提供できる。
【００１９】
請求項２又は請求項３記載の発明の透光性断熱材にあっては、請求項１記載の透光性断熱材の作用を奏するとともに、透光性フィルム又は（及び）透光性小口径パイプ、透光性小球体、透光性ハニカム構造体から選ばれた一以上の物体が着色されたものであるので、この透光性断熱材を建物の開口部やカーテンウォールをとして用いることにより、趣のある建物を構築できる。
【００２０】
請求項４記載の発明の透光性断熱材にあっては、対向する透光性板材の間の空間に、熱や通電により形状又は体積が変わる物体が収納されているので、その収納物体を加熱又は通電することにより、形状又は体積を変えて採光性や遮光性を制御でき、季節や日々の朝、昼、晩等の気候の変化に対応して、最適の採光性や遮光性を得ることができる。
【００２１】
【発明の実施の形態】
この発明の実施の形態を図１、図２に示す実施例に基づいて説明する。
【００２２】
図１はこの発明の透光性断熱材の実施例の要部断面図、図２は図１のイ−イ線における断面図である。
図１、図２において、１はガラス板、２は透光性フィルム、３は透光性小口径パイプである。
【００２３】
透光性板材であるガラス板１は間隔をおいて並設され、その間のほぼ中央部に透光性フィルム２が挿入され、２枚のガラス板１に囲まれた空間が二つの小空間に小分けされている。
【００２４】
ガラス板１は、アクリル樹脂板のような透光性合成樹脂板であってもよい。
また、透光性フィルム２は、ガラス板１の間のほぼ中央部に挿入される他、３以上の小空間に小分けするように、複数枚を間隔をおいて挿入することができ、また、透光性フィルム２は着色されていてもよい。
【００２５】
この二分された小空間のそれぞれには、この小空間の幅とほぼ等しい長さの透光性小口径パイプ３が多数その管軸方向をガラス板１の板面とほぼ直交するように充填され、収納されている。
この透光性小口径パイプ３は着色されていてもよく、ガラス製であっても、透光性合成樹脂製であってもよい。
【００２６】
また、図示していないが、２枚のガラス板１の外周縁部間にはスペーサ部材が挿着され、２枚のガラス板１の間の空間を密閉空間とし、透光性小口径パイプ３が離脱しないようにされている。
【００２７】
（図１に示す実施例の作用）
透光性小口径パイプ３が、透光性フィルム２により２分された小空間のそれぞれに充填されて収納されているので、透光性小口径パイプ３は小空間内での移動や変位が少なく、透光性断熱材の透光性と断熱性が安定して維持される。
【００２８】
次に、この発明の他の実施の形態を図３に示す実施例に基づいて説明する。
【００２９】
図３はこの発明の透光性断熱材の他の実施例の要部断面図であり、１ａはガラス板、２ａは透光性フィルム、３ａは透光性小口径パイプ、３ｂは透光性小球体である。
【００３０】
図１に示すものと同様、透光性板材であるガラス板１ａは、間隔をおいて並設され、その間のほぼ中央部に透光性フィルム２ａが挿入され、２枚のガラス板１ａに囲まれた空間が二つの小空間に小分けされている。
【００３１】
この二分された小空間の一方には、この小空間の幅とほぼ等しい長さの透光性小口径パイプ３ａが多数その管軸方向をガラス板１ａの板面とほぼ直交するように充填されて収納され、他方の小空間には、多数の透光性小球体３ｂが充填されて収納されている。
【００３２】
ガラス板１ａは、アクリル樹脂板のような透光性合成樹脂板であってもよく、また、透光性フィルム２ａ、透光性小口径パイプ３ａ及び透光性小球体３ｂは、着色されていてもよいことは、図１に示す実施例と同様である。
【００３３】
また、図示していないが、２枚のガラス板１ａの外周縁部間にはスペーサ部材が挿着され、２枚のガラス板１ａの間の空間を密閉空間とし、透光性小口径パイプ３ａや透光性小球体３ｂが離脱しないようにされている。
【００３４】
（図３に示す実施例の作用）
透光性フィルム２ａにより２分された小空間の一方に、透光性小口径パイプ３ａが充填されて収納され、他方に透光性小球体３ｂが充填されて収納されているので、透光性小口径パイプ３ａと透光性小球体３ａとは小空間で移動や変位が少なく、透光性断熱材の透光性と断熱性が安定して維持される。
【００３５】
そして、二つの小空間には透光性小口径パイプ３ａと透光性小球体３ｂの異なる透光性物体が収納されることにより、同一の透光性物体が収納される場合と異なる透光性能と断熱性能を発揮し、建物の立地条件等に適応するよう、透光性断熱材を選択して提供できる。
【００３６】
また、透光性フィルム２ａ、透光性小口径パイプ３ａや透光性小球体３ａを着色されたものとすれば、趣のある透光性断熱材となって、趣のある建物が構築される。
【００３７】
以上の実施例においては、透光性フィルムにより小分けされた小空間に収納される透光性物体として、透光性小口径パイプ又は透光性小球体を用いたが、図４に示したような透光性ハニカム構造体３ｃを用いることができる。この透光性ハニカム構造体３ｃも着色して用いることができる。
【００３８】
以上、請求項１乃至請求項３に係る発明の実施の形態について説明したが、以下、請求項４に係る発明の実施の形態を説明する。
【００３９】
図５は、請求項４に係る発明の透光性断熱材の実施例の要部斜視図であり、１０は透光性板材、２０は熱により形状が変わる物体である。
【００４０】
透光性板材１０は、ガラス板又は透光性合成樹脂板からなり、間隔をおいて並設されている。
なお、透光性板材１０の外周縁部間に、スペーサ部材（図示省略）を挿着し、透光性板材１０の間の空間を密閉空間としてもよい。
【００４１】
熱により形状が変わる物体２０は、左右の板体２１、２２と、この板体２１、２２を連結し、その角度を熱によって屈曲させるような形状記憶合金からなる屈曲部２３とからなり、透光性板材１０の間に、複数枚が間隔をおいてルーバー状に収納されている。
【００４２】
（図５に示す実施例の作用）
この透光性断熱材は、建物の開口部の窓ガラスとして用いられる。
夏期の暑いときには、図６（Ａ）に示すように、屈曲部２３が形状記憶合金からなるので、熱によって板体２１を下方に押し下げ、日射ａをカットする。
また、冬期の寒いときには、図６（Ｂ）に示すように、屈曲部２３が形状記憶合金からなるので、板体２１を上方に押し上げ、右方の板体２２とほぼ同じ角度になり、日射ｂを室内に導くようになる。
【００４３】
上記実施例では、屈曲部２３が形状記憶合金からなり、熱によって板体２１の角度を変えるものとしたが、屈曲部２３は、通電によって板体２１の角度を制御し得るものとしてもよい。
【００４４】
次に、請求項４に係る発明の別の実施の形態を説明する。
【００４５】
図７は、請求項４に係る発明の透光性断熱材の他の実施例のであり、（Ａ）は要部斜視図、（Ｂ）は部分平面図である。
図７において、１０ａは透光性板材、２０ａは熱により体積が変わる物体である。
【００４６】
透光性板材１０ａは、図５に示したものと同様に、ガラス板又は透光性合成樹脂板からなり、間隔をおいて並設されている。
なお、透光性板材１０ａの外周縁部間に、スペーサ部材（図示省略）を挿着し、透光性板材１０ａの間の空間を密閉空間としてもよいことも図５に示したものと同様である。
【００４７】
熱により体積が変わる物体２０ａは、図７（Ｂ）に示すように、厚さ方向の材料を横に並べてルーバー状に形成したものであって、熱によって熱膨張するものである。なお、図７（Ｂ）においては、透光性板材１０ａの間の空間幅近くまで熱によって熱膨張した状態を示している。
【００４８】
（図６に示す実施例の作用）
この透光性断熱材は、建物の開口部の窓ガラスとして用いられる。
夏期の暑いときには、図８（Ａ）に示すように、物体２０ａは、熱によって透光性板材１０ａの間の空間幅近くまで伸びる。その結果、日射ａは伸びた物体２０ａによりカットされる。
また、冬期の寒いときには、図８（Ｂ）に示すように、物体２０ａは、温度が下がって元の幅に戻り、日射ｂは室内に導かれるようになる。
【００４９】
【発明の効果】
請求項１記載の発明の透光性断熱材にあっては、対向する透光性板材の間の空間が、透光性フィルムにより小分けされ、この小空間に、透光性小口径パイプ、透光性小球体、透光性ハニカム構造体から選ばれた一以上の物体が収納されているので、収納される物体の移動や変位が少なく、透光性断熱材の透光性と断熱性が安定して維持される。
【００５０】
また、小分けされた小空間の全てに一種類の透光性物体を収納するだけでなく、小空間毎に、透光性小口径パイプ、透光性小球体、透光性ハニカム構造体のいずれかを選択して収納することにより、透光性と断熱性とを種々の性能のものとした透光性断熱材を提供できる。
【００５１】
請求項２又は請求項３記載の発明の透光性断熱材にあっては、請求項１記載の透光性断熱材の作用を奏するとともに、透光性フィルム又は（及び）透光性小口径パイプ、透光性小球体、透光性ハニカム構造体から選ばれた一以上の物体が着色されたものであるので、この透光性断熱材を建物の開口部やカーテンウォールをとして用いることにより、趣のある建物を構築できる。
【００５２】
請求項４記載の発明の透光性断熱材にあっては、対向する透光性板材の間の空間に、熱や通電により形状又は体積が変わる物体が収納されているので、その収納物体を加熱又は通電することにより、形状又は体積を変えて採光性や遮光性を制御でき、季節や日々の朝、昼、晩等の気候の変化に対応して、最適の採光性や遮光性を得ることができる。
【図面の簡単な説明】
【図１】この発明の透光性断熱材の実施例の要部断面図である。
【図２】図１のイ−イ線における断面図である。
【図３】この発明の透光性断熱材の他の実施例の要部断面図である。
【図４】透光性物体の別の実施例を示す斜視図である。
【図５】請求項４に係る発明の透光性断熱材の実施例の要部斜視図である。
【図６】図５に示す透光性断熱材の作用を示す断面図である。
【図７】請求項４に係る発明の透光性断熱材の他の実施例の要部斜視図である。
【図８】図７に示す透光性断熱材の作用を示す断面図である。
【符号の説明】
１、１ａ、１０、１０ａ      ガラス板（透光性板材）
２、２ａ        透光性フィルム
３、３ａ        透光性小口径パイプ
２０      熱により形状が変わる物体
２０ａ    熱により体積が変わる物体
【図１】
2005022901.tif 000003
【図２】
2005022901.tif 000004
【図３】
2005022901.tif 000005
【図４】
2005022901.tif 000006
【図５】
2005022901.tif 000007
【図６】
2005022901.tif 000008
【図７】
2005022901.tif 000009
【図８】
2005022901.tif 000010